(57)【要約】【課題】  セット画像のうち一部のページが記録されなかった場合に、無駄になるページを削減し、記録コストを抑制する。【解決手段】  記録媒体上の、ページ毎に種類が異なる複数の記録領域に複数ページで構成されたセット画像を所定のページ順で記録する記録手段と、  前記セット画像のうち一部のページが記録されなかった場合に、記録されなかった前記一部のページの次のページが先頭ページとなるように前記セット画像の前記ページ順を変更する制御手段と  を有することを特徴とする画像記録装置。【選択図】図６
2019064240.tif 000002
【特許請求の範囲】
【請求項１】
記録媒体上の、ページ毎に種類が異なる複数の記録領域に複数ページで構成されたセット画像を所定のページ順で記録する記録手段と、
前記セット画像のうち一部のページが記録されなかった場合に、記録されなかった前記一部のページの次のページが先頭ページとなるように前記セット画像の前記ページ順を変更する制御手段と
を有することを特徴とする画像記録装置。
【請求項２】
前記制御手段は、前記セット画像が２ページから構成される場合は、記録されなかった前記一部のページの次のページから画像の向きを１８０度回転させて前記記録手段が前記セット画像を記録するように制御することを特徴とする請求項１に記載の画像記録装置。
【請求項３】
前記制御手段は、前記セット画像を記録中に記録動作が中断された場合に、前記記録動作が中断された際のページを記録されなかったページとして記憶し、記録動作を再開した際に前記記録されなかったページの次のページが先頭ページとなるように前記セット画像の前記ページ順を変更することを特徴とする請求項１又は請求項２に記載の画像記録装置。
【請求項４】
前記セット画像の記録後にセット画像間で前記記録媒体のカットを行うカット手段を有することを特徴とする請求項１乃至請求項３の何れか一項に記載の画像記録装置。
【請求項５】
前記記録媒体は、帯状の台紙を有し、
前記複数の記録領域は、前記台紙に仮着された複数のラベル片であることを特徴とする請求項１乃至請求項４の何れか一項に記載の画像記録装置。
【請求項６】
前記複数のラベル片の抜けを検出するセンサを有し、
前記センサにより前記複数のラベル片の一部に抜けが生じたことを検出した場合に、前記一部のページが記録されないことを特徴とする請求項５に記載の画像記録装置。
【請求項７】
記録媒体上の、ページ毎に種類が異なる複数の記録領域に複数ページで構成されたセット画像を所定のページ順で記録する記録方法であって、
前記セット画像のうち一部のページが記録されなかった場合に、記録されなかった前記一部のページの次のページが先頭ページとなるように前記セット画像の前記ページ順を変更することを特徴とする記録方法。
【発明の詳細な説明】
【技術分野】
【０００１】
本発明は、ラベルプリンタ等の画像記録装置に関し、主に特定のページ数でセットを組んだ連続ラベルに対し記録を行うラベルプリンタ等の画像記録装置に関する。
【背景技術】
【０００２】
等間隔にラベル紙が配置されている連続ラベル紙に対し記録ヘッドからインクを吐出して記録を行う画像記録装置において、使用する連続ラベルは、各ページのラベル紙の形状や色などの種類が同じものと異なるものに大別できる。
【０００３】
また、ページ毎にラベル紙の種類が異なるものの中には、特定のページ数を１セットとして繰り返し構成された連続ラベルがあり、この１セット単位で記録データを管理及び制御している。このように１セット単位で記録データを管理・制御すると、ラベル抜けや用紙ジャムによる用紙ずれが発生した部分にインクを吐出する可能性があり、ラベル台紙に吐出したインクが搬送機構や他のラベル紙に転写するという問題がある。
【０００４】
特許文献１では、ラベル抜けを検知し、ラベル抜けがあったセットを破棄し、次のセットから記録をやり直すことで、ラベル抜け部分への記録を抑制し、インクの転写を未然に防いでいる。
【先行技術文献】
【特許文献】
【０００５】
【特許文献１】特開２００５−２３８７５０号公報
【発明の概要】
【発明が解決しようとする課題】
【０００６】
しかしながら、特許文献１では、ラベル抜けによるインクの転写を未然に防いでいるが、セット内のラベル抜けしていないラベルまでも破棄しており、記録コストを上げてしまう。
【０００７】
本発明は、セット内の抜けたページ以外の無駄になるページを削減することができる画像記録装置を提供することを目的とする。
【課題を解決するための手段】
【０００８】
この目的を達成するため、本発明の画像記録装置は、記録媒体上の、ページ毎に種類が異なる複数の記録領域に複数ページで構成されたセット画像を所定のページ順で記録する記録手段と、前記セット画像のうち一部のページが記録されなかった場合に、記録されなかった前記一部のページの次のページが先頭ページとなるように前記セット画像の前記ページ順を変更する制御手段とを有することを特徴とする。
【発明の効果】
【０００９】
本発明によれば、セット画像のうち一部のページが記録されなかった場合に、無駄になるページを削減し、記録コストを抑制することが可能である。
【図面の簡単な説明】
【００１０】
【図１】本発明の第１実施形態の画像記録装置のシステム構成図である。
【図２】本発明の第１実施形態の画像記録装置の主要部を示す断面図である。
【図３】本発明の第１実施形態の画像記録装置の制御系のブロック図である。
【図４】本発明で解決する課題を示す概略図である。
【図５】本発明の第１実施形態の画像記録装置の制御概要を示すフローチャートである。
【図６】本発明の第１実施形態の画像記録装置の記録データの制御を示す概略図である。
【図７】本発明の第１実施形態の画像記録装置の制御を示すフローチャートである。
【図８】本発明の第２実施形態の画像記録装置の記録データの制御を示す概略図である。
【図９】本発明の第２実施形態の画像記録装置の制御を示すフローチャートである。
【発明を実施するための形態】
【００１１】
以下、図面を参照しつつ、本発明の実施形態について詳細に説明する。
【００１２】
＜第１実施形態＞
図１は、本発明の実施形態の画像記録装置１００のシステム構成図である。
【００１３】
同図に示すように、インクジェット方式のフルライン記録ヘッドを用いたカラーの画像記録装置１００とホストコンピュータ１０１とは、プリンタケーブル１０２で接続されている。ホストコンピュータ１０１で処理された各種データは、プリンタケーブル１０２を介して画像記録装置１００に送信されて記録される。
【００１４】
図２は、画像記録装置１００の主要部を示す断面図である。
【００１５】
同図に示すように、画像記録装置１００は、記録媒体２０６の幅全体に亘って複数のノズルを配列したブラック記録ヘッド２００Ｋ、シアン記録ヘッド２００Ｃ、マゼンタ記録ヘッド２００Ｍ、イエロー記録ヘッド２００Ｙを含む記録ヘッドユニット２０１を備えている。なお、ブラック記録ヘッド２００Ｋ、シアン記録ヘッド２００Ｃ、マゼンタ記録ヘッド２００Ｍ、イエロー記録ヘッド２００Ｙを総称して記録ヘッド２００とする。
【００１６】
更に画像記録装置１００は、記録ヘッド２００Ｋ〜２００Ｙのノズルを保護するキャップユニット２０２と、記録媒体２０６を搬送する搬送装置２０３と、吸引クリーニングに用いる圧力ポンプ２０４と、回収インクを貯留する回収インクタンク２０５とを備えている。
【００１７】
画像記録装置１００は、フルカラーで記録媒体２０６に画像を形成することができる。画像記録装置１００には、搬送ユニット２０８が装着されている。搬送ユニット２０８では、搬送装置２０３の記録媒体搬送方向Ａの上流に複数のカットされた記録媒体２０６が搬送トレイ２０７上に積載されている。
【００１８】
記録媒体２０６は、搬送ユニット２０８から搬送装置２０３に搬送される。搬送された記録媒体２０６は、搬送装置２０３によって記録ヘッドユニット２０１の下に搬送され記録が行われる。
【００１９】
記録ヘッドユニット２０１よりも上流側には、ＴＯＦ（Ｔｉｍｅ  Ｏｆ  Ｆｌｉｇｈｔ）センサ２０９が設けられており、ＴＯＦセンサ２０９は、搬送装置２０３によって搬送される複数の記録媒体２０６のラベルを検知する。
【００２０】
画像記録装置１００は、ＴＯＦセンサ２０９による記録媒体２０６の先端検知をトリガにして、記録ヘッド２００により記録媒体２０６に順次記録を行う。記録が完了した記録媒体２０６は排出口まで搬送される。
【００２１】
記録に用いるインクは画像記録装置１００から着脱可能なブラックインクタンク２１０Ｋ、シアンインクタンク２１０Ｃ、マゼンタインクタンク２１０Ｍ、イエローインクタンク２１０Ｙから圧力ポンプ２０４により各記録ヘッド２００へと供給される。また、画像信頼性維持のために記録ヘッド２００の吸引クリーニングやクリーニング吐出で使用されたインクは、圧力ポンプ２０４によりキャップユニット２０２から回収インクタンク２０５に回収される。
【００２２】
図３は、画像記録装置１００の制御系のブロック図である。
【００２３】
同図に示すように、画像記録装置１００は、ホストコンピュータ１０１の記録データやコマンドを受信するＵＳＢインターフェースコントローラ３００を有している。さらに、画像記録装置１００は、記録データの受信、記録動作の実行、中断等全般の制御を掌る演算処理装置であるＣＰＵ３０１を有している。また、画像記録装置１００は記録データをイメージデータに展開するイメージＲＡＭ３０２を有している。さらに、画像記録装置１００は、ヘッドモータ３０３ａ、ブレードモータ３０３ｂ、ポンプモータ３０３ｃ、搬送モータ３０３ｄを駆動するモータードライバ３０４、バルブ３０５を制御するソレノイドドライバ３０６を備えている。ヘッドモータ３０３ａ、ブレードモータ３０３ｂ、ポンプモータ３０３ｃ、搬送モータ３０３ｄを総称して各種モータ３０３とする。
【００２４】
また、画像記録装置１００は、ヘッドダイオードセンサ３０７ａ、温度計３０７ｂ、湿度計３０７ｃからのデータを入力するためのＩ／Ｏ３０８と、ＣＰＵ３０１の指示を受けて画像記録装置１００のハードウェアを制御するＡＳＩＣ３０９とを有している。なお、
ヘッドダイオードセンサ３０７ａ、温度計３０７ｂ、湿度計３０７ｃを総称して各種センサ３０７とする。
【００２５】
さらに、画像記録装置１００は、イメージＲＡＭ３０２に展開されたイメージを記録媒体上に記録する記録ヘッド２００毎に装着され固有データを保持するヘッドＥＥＰＲＯＭ２５０を備えている。また、画像記録装置１００は、記録ヘッド２００にインクを供給するインクタンク２１０毎に装着され、固有データを保持するインクタンクＥＥＰＲＯＭ２６０を有している。
【００２６】
画像記録装置１００には、ユーザとの間のインターフェースとして操作パネル３１４が設けられている。操作パネル３１４には画像記録装置１００からユーザへ状態を通知するためのＬＣＤ３１７、ブザー３１８、ユーザから画像記録装置１００へ指示を行うためのキー３１９が設けられている。
【００２７】
（動作）
ＴＯＦセンサ２０９による記録媒体２０６のラベルの検出に同期して、ＣＰＵ３０１はイメージＲＡＭ３０２から対応する色の記録データを順次に読み出し、読み出したデータを各記録ヘッド２００に転送する。以下の制御は、プログラムＲＯＭ３１５に記憶された処理プログラムをＣＰＵ３０１が実行することで実施される。
【００２８】
プログラムＲＯＭ３１５には、制御フローに対応する処理プログラム及びテーブルなどが記憶されている。また、作業用のメモリとしてワークＲＡＭ３１６が設けられている。各記録ヘッド２００のクリーニング動作時に、ＣＰＵ３０１は、各種センサ３０７をモニタしながら、モータードライバ３０４を介して各種モータ３０３を駆動し、インクの加圧や吸引等の制御を行う。
【００２９】
記録やクリーニングで使用するインクは、各インクタンク２１０から供給される。各インクタンク２１０には、インクタンクＥＥＰＲＯＭ２６０が設けられており、インクの色や種類を示すＩＤやシリアルナンバーが書込まれている他、残量検知用の使用量カウンタなどを保持出来るようになっている。
【００３０】
（課題）
図４は、本発明で解決する課題を示す概略図である。
【００３１】
記録媒体２０６は、帯状の台紙を有し、この台紙上に仮着された形状の異なるラベル紙Ｌａ、Ｌｂ、Ｌｃ（複数の記録領域、ラベル片）によってセットが組まれた連続ラベルとなっている（形状が異なるほか、背景色が異なるラベル片でもよい）。画像記録装置１００は、ホストコンピュータ１０１よりこのセット単位で記録データを受信して記録を行う。すなわち、ページ毎にサイズが異なるラベル紙Ｌａ、Ｌｂ、Ｌｃに複数ページで構成されたセット画像が所定のページ順で記録される。
【００３２】
また、画像記録装置１００はラベル紙Ｌａ、Ｌｂ、Ｌｃが等間隔に配置されているのをＴＯＦセンサ２０９で監視しながら記録している。すなわち、セット４０１ａに記録を行った後、ＴＯＦセンサ２０９によりセット４０１ｂでラベル抜け４００が発生したことを検出した場合に、ラベル抜け４００部分（一部のページ）の記録を中断し、ラベル台紙に記録するのを防いでいる。更に、ラベル抜け４００が発生したセット４０１ｂを破棄し、次のセット４０１ｃから記録再開することで、セットの構成を崩さずに記録を継続している。
【００３３】
しかし、セット４０１ｂは本来再利用可能なラベル紙も含んでおり、セット４０１ｂの全体を破棄することはコストアップに繋がる。また、ラベル抜け以外にも記録動作を中断するエラー発生時や、ユーザ操作による記録中断により記録失敗したラベルも破棄の対象となる。
【００３４】
図５は、本実施形態の制御概要を示すフローチャートである。以下、このフローチャートを用いて本実施形態の制御概要を説明する。
【００３５】
ラベル抜け等記録動作を中断する要因が発生すると、まず、セットを組んだ連続ラベルに記録中か確認する（ステップＳ５０１）。連続ラベルへの記録中でなければ、記録動作を中断する（ステップＳ５０２）。
【００３６】
一方、セットを組んだ連続ラベルに記録中であれば（ステップＳ５０１のＹｅｓ）、続けてホストコンピュータ１０１によりページ順変更制御を有効に設定しているか確認する（ステップＳ５０３）。
【００３７】
ページ順変更制御が有効でなければ（ステップＳ５０３のＮｏ）、現在記録中のセットを排紙（ステップＳ５０４）の後、記録動作を中断する（ステップＳ５０５）。
【００３８】
一方、ページ順変更制御が有効であれば（ステップＳ５０３のＹｅｓ）、記録中のラベル紙を記録失敗ラベルとしてワークＲＡＭ３１６に記憶し（ステップＳ５０６）、記録動作を中断する（ステップＳ５０７）。その後、セット内の記録データのページ順を変更する（ステップＳ５０８）。
【００３９】
これら制御が完了し、記録動作を中断する要因が解除されると、記録データが存在するか確認し（ステップＳ５０９）、記録データが存在する場合は記録を再開する（ステップＳ５１０）。また、記録データが存在しない場合は（ステップＳ５０９のＮｏ）、そのまま記録動作を終了する。
【００４０】
図６は、本実施形態の記録データの制御を示す概略図である。記録媒体２０６は、ラベル紙Ｌａ、Ｌｂ、Ｌｃでセットを組んだ１セットあたり３ページの連続ラベルであり、セット６０１ａの後にラベル抜け６０２を検知している。
【００４１】
このとき、ラベル抜け６０２（一部のページ）の前のセット６０１ａはＬａ、Ｌｂ、Ｌｃの順で記録を行っていたが、ラベル抜け６０２後のセット６０１ｂ以降をＬｂ、Ｌｃ、Ｌａの順で記録を行うよう記録データのページ順を変更する。すなわち、記録されなかったラベル紙Ｌａの次のラベル紙Ｌｂを先頭ページとし、その後、ラベル紙Ｌｃ、Ｌａの順番で記録するようにページ順を変更する。
【００４２】
これによりラベル抜け６０２以降のラベルを無駄なく利用することが可能となる。
【００４３】
図７は、本実施形態のページ順変更の制御を示すフローチャートである。以下、このフローチャートを用いて本実施形態における制御を説明する。
【００４４】
図５に示したように、ラベル抜け等の記録動作を中断する要因が発生し、条件を満たしていた場合は記録データのページ順を変更する。
【００４５】
その際はまず、記録失敗ラベル紙が３ページ目（セットの最終ページ）か確認する（ステップＳ７０１）。記録失敗ラベル紙が３ページ目であればそのまま記録データのページ順を変更しないまま終了し、記録失敗ラベル紙が３ページ目でなければ更に記録失敗ラベル紙が２ページ目か確認する（ステップＳ７０２）。記録失敗ラベル紙が２ページ目であれば、セットの先頭を次のページである３ページ目として記録データのページ順を変更する（ステップＳ７０３）。
【００４６】
一方、記録失敗ラベル紙が２ページ目でなければ更に記録失敗ラベル紙が１ページ目か確認する（ステップＳ７０４）。記録失敗ラベル紙が１ページ目であればセットの先頭を次のページである２ページ目として記録データのページ順を変更する（ステップＳ７０５）。
【００４７】
このように、特定のページ数でセットを組んだ連続ラベルでラベル抜けが発生した場合に、ユーザ設定に応じて記録動作中断時に記録データのページ順を変更することで、ラベル抜けに対応しつつ記録コストを抑制する画像記録装置を実現することができる。
【００４８】
＜第２実施形態＞
以下、本発明の第２実施形態を説明する。なお、本実施形態の基本的な構成は上記形態と同様であるため、以下では特徴的な構成についてのみ説明する。
【００４９】
以上、第１実施形態では特定のページ数を１セットとして繰り返し構成された連続ラベルでラベル抜けや用紙ジャムが発生した場合に、ユーザ設定に応じて記録動作中断時に記録データのページ順を変更した。そして、これによりセット内の抜けたページ以外の無駄になるページを削減することができた。
【００５０】
本実施形態では、画像記録装置１００にカッターが装着されておりセット画像間でカットを行う場合や、１セットあたりのページ数が２ページである場合を前提としている。
【００５１】
図８は、本実施形態の記録データの制御を示す概略図である。
【００５２】
記録媒体２０６は、ラベル紙Ｌａ、Ｌｂでセットを組んだ１セットあたり２ページの連続ラベルであり、セット８０１ａの後にラベル抜け８０２を検知している。このとき、ラベル抜け８０２前のセット８０１ａはＬａ、Ｌｂの順で記録を行っていたが、ラベル抜け８０２後のセット８０１ｂ以降をＬｂ、Ｌａの順で記録を行うよう記録データのページ順を変更する。そして、セット８０１ｂ以降は、画像の向きを１８０度回転させて記録している。これにより、ラベル抜け８０２以降のラベルを無駄なく利用することが可能となる。さらに、本実施形態ではラベル紙Ｌａ、Ｌｂのセットに画像を記録後にセット間で記録媒体２０６をカットしている。これにより、ユーザはラベル紙Ｌａ、Ｌｂの順に記録されたセットを得ることができる。
【００５３】
図９は、本実施形態の制御を示すフローチャートである。
【００５４】
図５に示したとおり、ラベル抜け等記録動作を中断する要因が発生し、条件を満たしていた場合は記録データのページ順を変更する。
【００５５】
その際はまず記録失敗ラベル紙が２ページ目か確認する（ステップＳ９０１）。記録失敗ラベル紙が２ページ目であればそのまま記録データのページ順を変更しないまま終了し、記録失敗ラベル紙が２ページ目でなければ更に記録失敗ラベル紙が１ページ目か確認する（ステップＳ９０２）。記録失敗ラベル紙が１ページ目であればセットの先頭を２ページ目として記録データのページ順を変更し（ステップＳ９０３）、セット画像間をカットしながら記録を行っているか確認する（ステップＳ９０４）。セット画像間でカットしながら記録を行っている場合は記録データを１８０度回転する（ステップＳ９０５）。
【００５６】
このように、１セットあたり２ページの連続ラベルであり、かつセット画像間でカットしつつ記録を行う場合、記録データのページ順を変更し、ページ順が入れ替わった場合は記録データを１８０度回転させる。これにより、記録によって得られる成果物を変化させずにラベル抜けに対応しつつ記録コストを抑制することができる。
【符号の説明】
【００５７】
１００…画像記録装置
２０１…記録ヘッドユニット
２０６…記録媒体
２０９…ＴＯＦセンサ
３０１…ＣＰＵ
３０９…ＡＳＩＣ
Ｌａ、Ｌｂ、Ｌｃ…ラベル紙
【図１】
2019064240.tif 000003
【図２】
2019064240.tif 000004
【図３】
2019064240.tif 000005
【図４】
2019064240.tif 000006
【図５】
2019064240.tif 000007
【図６】
2019064240.tif 000008
【図７】
2019064240.tif 000009
【図８】
2019064240.tif 000010
【図９】
2019064240.tif 000011